(57)【要約】【課題】操作性の低下を回避しつつ、２つの表示部に同一の内容を表示させる。【解決手段】相互に異なる処理と対応付けられた複数の画像を生成して第１及び第２の表示部に表示させ、生成された複数の画像のうち、予め決められた画像が第２の表示部において表示される位置を示す画像位置情報と、当該予め決められた画像に対応付けられた処理とを対応付ける制御部を有する。また、表示された画像の選択を受け付けると、第１の表示部は、選択された画像を示す選択画像情報を出力し、第２の表示部は、選択された画像が表示された位置を示す選択位置情報を出力する。そして、制御部は、第１の表示部から出力された選択画像情報を受け付けると、受け付けた選択画像情報が示す画像に対応付けられた処理を実行し、第２の表示部から出力された選択位置情報を受け付けると、受け付けた選択位置情報と一致する画像位置情報に対応付けられた処理を実行する。【選択図】図１
2011070371.tif 000002
【特許請求の範囲】
【請求項１】
画像を表示し、該表示された画像の選択を受け付ける第１及び第２の表示部を有する入力制御装置であって、
相互に異なる処理と対応付けられた複数の画像を生成し、該生成された複数の画像を前記第１及び第２の表示部に表示させ、前記生成された複数の画像のうち、予め決められた画像が前記第２の表示部において表示される位置を示す画像位置情報と、当該予め決められた画像に対応付けられた処理とを対応付ける制御部を有し、
前記第１の表示部は、前記表示された画像の選択を受け付けると、該選択された画像を示す選択画像情報を出力し、
前記第２の表示部は、前記表示された画像の選択を受け付けると、該選択された画像が表示された位置を示す選択位置情報を出力し、
前記制御部は、前記第１の表示部から出力された選択画像情報を受け付けると、該受け付けた選択画像情報が示す画像に対応付けられた処理を実行し、前記第２の表示部から出力された選択位置情報を受け付けると、該受け付けた選択位置情報と一致する前記画像位置情報に対応付けられた処理を実行する入力制御装置。
【請求項２】
請求項１に記載の入力制御装置において、
前記制御部は、前記第１の表示部から出力された選択画像情報が示す画像が前記予め決められた画像である場合、当該予め決められた画像に対応付けられた処理を実行しない入力制御装置。
【請求項３】
請求項１または請求項２に記載の入力制御装置において、
前記予め決められた画像と同一の形状の同一画像を生成し、該生成された同一画像を、当該予め決められた画像の上に重ね合わせて前記第２の表示部に表示させ、当該同一画像と前記画像位置情報とを対応付ける画像制御部を有し、
前記画像制御部は、前記第２の表示部から出力された選択位置情報を受け付けると、該受け付けた選択位置情報と一致する前記画像位置情報に対応付けられた前記同一画像の形状を変化させる入力制御装置。
【請求項４】
画像を表示し、該表示された画像の選択を受け付ける第１及び第２の表示部を有する入力制御装置における入力制御方法であって、
相互に異なる処理と対応付けられた複数の画像を生成し、該生成された画像を前記第１及び第２の表示部に表示させるステップと、
前記生成された複数の画像のうち、予め決められた画像が前記第２の表示部において表示される位置を示す画像位置情報と、当該予め決められた画像に対応付けられた処理とを対応付けるステップと、
前記第１の表示部が、前記表示された画像の選択を受け付けると、該選択された画像を示す選択画像情報を出力するステップと、
前記第２の表示部が、前記表示された画像の選択を受け付けると、該選択された画像が表示された位置を示す選択位置情報を出力するステップと、
前記第１の表示部から出力された選択画像情報を受け付けると、該受け付けた選択画像情報が示す画像に対応付けられた処理を実行し、前記第２の表示部から出力された選択位置情報を受け付けると、該受け付けた選択位置情報と一致する前記画像位置情報に対応付けられた処理を実行する実行ステップと、を有する入力制御方法。
【請求項５】
請求項４に記載の入力制御方法において、
前記実行ステップにおいて、前記第１の表示部から出力された選択画像情報が示す画像が前記予め決められた画像である場合、当該予め決められた画像に対応付けられた処理を実行しない入力制御方法。
【請求項６】
請求項４または請求項５に記載の入力制御方法において、
前記予め決められた画像と同一の形状の同一画像を生成し、該生成された同一画像を、当該予め決められた画像の上に重ね合わせて前記第２の表示部に表示させるステップと、
前記同一画像と前記画像位置情報とを対応付けるステップと、
前記第２の表示部から出力された選択位置情報を受け付けると、該受け付けた選択位置情報と一致する前記画像位置情報に対応付けられた前記同一画像の形状を変化させるステップと、をさらに有する入力制御方法。
【請求項７】
画像を表示し、該表示された画像の選択を受け付ける第１及び第２の表示部を有する入力制御装置に、
相互に異なる処理と対応付けられた複数の画像を生成し、該生成された画像を前記第１及び第２の表示部に表示させる機能と、
前記生成された複数の画像のうち、予め決められた画像が前記第２の表示部において表示される位置を示す画像位置情報と、当該予め決められた画像に対応付けられた処理とを対応付ける機能と、
前記第１の表示部が、前記表示された画像の選択を受け付けると、該選択された画像を示す選択画像情報を出力する機能と、
前記第２の表示部が、前記表示された画像の選択を受け付けると、該選択された画像が表示された位置を示す選択位置情報を出力する機能と、
前記第１の表示部から出力された選択画像情報を受け付けると、該受け付けた選択画像情報が示す画像に対応付けられた処理を実行し、前記第２の表示部から出力された選択位置情報を受け付けると、該受け付けた選択位置情報と一致する前記画像位置情報に対応付けられた処理を実行する実行機能と、を実現させるためのプログラム。
【請求項８】
請求項７に記載のプログラムにおいて、
前記実行機能は、前記第１の表示部から出力された選択画像情報が示す画像が前記予め決められた画像である場合、当該予め決められた画像に対応付けられた処理を実行しないプログラム。
【請求項９】
請求項７または請求項８に記載のプログラムにおいて、
前記入力制御装置に、
前記予め決められた画像と同一の形状の同一画像を生成し、該生成された同一画像を、当該予め決められた画像の上に重ね合わせて前記第２の表示部に表示させる機能と、
前記同一画像と前記画像位置情報とを対応付ける機能と、
前記第２の表示部から出力された選択位置情報を受け付けると、該受け付けた選択位置情報と一致する前記画像位置情報に対応付けられた前記同一画像の形状を変化させる機能と、をさらに実現させるためのプログラム。
【発明の詳細な説明】
【技術分野】
【０００１】
本発明は、２つの表示部を有する入力制御装置、入力制御方法及びプログラムに関する。
【背景技術】
【０００２】
近年、スーパーマーケットやコンビニエンスストア等においては、ＰＯＳ（Ｐｏｉｎｔ  ｏｆ  Ｓａｌｅｓ）端末を利用することが一般的になってきている。ＰＯＳ端末を利用することにより、販売した商品名や価格、数量、日時等の販売データを記録することができ、商品の販売動向を観察することが可能となるという利点がある。
【０００３】
また、最近では、スーパーマーケットやコンビニエンスストア等の店員が操作を行うためのオペレータ用の表示部と、顧客が操作を行うためのカスタマ用の表示部との２つの表示部を備えたＰＯＳ端末が利用されるようになってきている。
【０００４】
図５は、ＰＯＳ端末の外観の一例を示す図である。
【０００５】
図５に示すように、このＰＯＳ端末はオペレータ用表示部３００とカスタマ用表示部４００とを備えている。図５に示すような２つの表示部を備えたＰＯＳ端末においては通常、オペレータ用表示部３００に表示される画面とカスタマ用表示部４００に表示される画面とが異なる。
【０００６】
この場合、カスタマ用表示部４００を利用して顧客が操作を行う際、その操作状況は、オペレータ用表示部３００に表示されることはない。従って、店員は、オペレータ用表示部３００を見ていても、顧客が操作を行っているのか、または、顧客が操作をし終えたのか等を把握することはできない。
【０００７】
ここで、オペレータ用表示部とカスタマ用表示部との両方に商品を選択するための同一の画面を表示し、店員からも顧客からも商品を選択することを可能にする技術が例えば、特許文献１に開示されている。
【０００８】
特許文献１に開示されている技術を用いれば、オペレータ用表示部に表示される画面と、カスタマ用表示部に表示される画面とを同一にすることができる。そのため、顧客が行っている操作状況を店員が把握することが可能である。
【先行技術文献】
【特許文献】
【０００９】
【特許文献１】特開２００１−３３８３４５号公報
【発明の概要】
【発明が解決しようとする課題】
【００１０】
オペレータ用表示部の画面とカスタマ用表示部の画面とを同一にした場合、店員だけが行うべき操作を顧客が行うことも可能となり、逆に、顧客だけが行うべき操作を店員が行うことも可能となる。
【００１１】
この場合、店員や顧客が誤操作を行う可能性が高くなり、また、店員による操作と顧客による操作とが競合する可能性が高くなり、操作性が低下してしまうという問題点がある。
【００１２】
本発明は、操作性の低下を回避しつつ、２つの表示部に同一の内容を表示させることを可能にする入力制御装置、入力制御方法及びプログラムを提供することを目的とする。
【課題を解決するための手段】
【００１３】
上記目的を達成するために本発明の入力制御装置は、画像を表示し、該表示された画像の選択を受け付ける第１及び第２の表示部を有する入力制御装置であって、
相互に異なる処理と対応付けられた複数の画像を生成し、該生成された複数の画像を前記第１及び第２の表示部に表示させ、前記生成された複数の画像のうち、予め決められた画像が前記第２の表示部において表示される位置を示す画像位置情報と、当該予め決められた画像に対応付けられた処理とを対応付ける制御部を有し、
前記第１の表示部は、前記表示された画像の選択を受け付けると、該選択された画像を示す選択画像情報を出力し、
前記第２の表示部は、前記表示された画像の選択を受け付けると、該選択された画像が表示された位置を示す選択位置情報を出力し、
前記制御部は、前記第１の表示部から出力された選択画像情報を受け付けると、該受け付けた選択画像情報が示す画像に対応付けられた処理を実行し、前記第２の表示部から出力された選択位置情報を受け付けると、該受け付けた選択位置情報と一致する前記画像位置情報に対応付けられた処理を実行する。
【００１４】
また、上記目的を達成するために本発明の入力制御方法は、画像を表示し、該表示された画像の選択を受け付ける第１及び第２の表示部を有する入力制御装置における入力制御方法であって、
相互に異なる処理と対応付けられた複数の画像を生成し、該生成された画像を前記第１及び第２の表示部に表示させるステップと、
前記生成された複数の画像のうち、予め決められた画像が前記第２の表示部において表示される位置を示す画像位置情報と、当該予め決められた画像に対応付けられた処理とを対応付けるステップと、
前記第１の表示部が、前記表示された画像の選択を受け付けると、該選択された画像を示す選択画像情報を出力するステップと、
前記第２の表示部が、前記表示された画像の選択を受け付けると、該選択された画像が表示された位置を示す選択位置情報を出力するステップと、
前記第１の表示部から出力された選択画像情報を受け付けると、該受け付けた選択画像情報が示す画像に対応付けられた処理を実行し、前記第２の表示部から出力された選択位置情報を受け付けると、該受け付けた選択位置情報と一致する前記画像位置情報に対応付けられた処理を実行する実行ステップと、を有する。
【００１５】
また、上記目的を達成するために本発明のプログラムは、画像を表示し、該表示された画像の選択を受け付ける第１及び第２の表示部を有する入力制御装置に、
相互に異なる処理と対応付けられた複数の画像を生成し、該生成された画像を前記第１及び第２の表示部に表示させる機能と、
前記生成された複数の画像のうち、予め決められた画像が前記第２の表示部において表示される位置を示す画像位置情報と、当該予め決められた画像に対応付けられた処理とを対応付ける機能と、
前記第１の表示部が、前記表示された画像の選択を受け付けると、該選択された画像を示す選択画像情報を出力する機能と、
前記第２の表示部が、前記表示された画像の選択を受け付けると、該選択された画像が表示された位置を示す選択位置情報を出力する機能と、
前記第１の表示部から出力された選択画像情報を受け付けると、該受け付けた選択画像情報が示す画像に対応付けられた処理を実行し、前記第２の表示部から出力された選択位置情報を受け付けると、該受け付けた選択位置情報と一致する前記画像位置情報に対応付けられた処理を実行する実行機能と、を実現させる。
【発明の効果】
【００１６】
本発明によれば、相互に異なる処理と対応付けられた複数の画像が生成され、生成された複数の画像が第１及び第２の表示部に表示される。そして、生成された複数の画像のうち、予め決められた画像が第２の表示部において表示される位置を示す画像位置情報と、当該予め決められた画像に対応付けられた処理とが対応付けられる。
【００１７】
また、第１の表示部は、表示された画像の選択を受け付けると、選択された画像を示す選択画像情報を出力し、第２の表示部は、表示された画像の選択を受け付けると、選択された画像が表示された位置を示す選択位置情報を出力する。
【００１８】
そして、第１の表示部から選択画像情報が出力されると、その選択画像情報が示す画像に対応付けられた処理が実行され、第２の表示部から選択位置情報が出力されると、その選択位置情報と一致する画像位置情報に対応付けられた処理が実行される。
【００１９】
これにより、操作性の低下を回避しつつ、第１及び第２の表示部の２つの表示部に同一の内容を表示させることが可能となる。
【図面の簡単な説明】
【００２０】
【図１】本発明の入力制御装置を適用したＰＯＳ端末の実施の一形態の構成を示すブロック図である。
【図２】図１に示したＰＯＳ端末のクローンモードにおいてオペレータ用表示部及びカスタマ用表示部に表示された画面の一例を示す図であり、（ａ）はオペレータ用表示部に表示された画面の一例を示す図、（ｂ）はカスタマ用表示部に表示された画面の一例を示す図である。
【図３】図１に示したＰＯＳ端末におけるパスワード入力画面の一例を示す図である。
【図４】図１に示したＰＯＳ端末のクローンモードにおける動作を説明するためのフローチャートである。
【図５】ＰＯＳ端末の外観の一例を示す図である。
【発明を実施するための形態】
【００２１】
以下に、本発明の実施の形態について図面を参照して説明する。
【００２２】
図１は、本発明の入力制御装置を適用したＰＯＳ端末の実施の一形態の構成を示すブロック図である。
【００２３】
本実施形態のＰＯＳ端末１は図１に示すように、ＰＯＳ端末１を制御するためのＰＯＳアプリケーションを有する制御部１０と、画像制御部２０と、タッチパネル方式で入力を受け付ける第１の表示部であるオペレータ用表示部３０と、タッチパネル方式で入力を受け付ける第２の表示部であるカスタマ用表示部４０とを備えている。
【００２４】
本実施形態においてオペレータ用表示部３０及びカスタマ用表示部４０は、入力を受け付ける方法としてタッチパネル方式を採用しているが、これに限定されるものではなく、例えば、マウスやキーボード等によって入力を受け付けるようにしてもよい。
【００２５】
また、オペレータ用表示部３０及びカスタマ用表示部４０に表示される画面には、店員や顧客が押下することによって選択される各種のボタン（不図示）が含まれる。この各種のボタンは、ＰＯＳアプリケーションを用いて生成された画像であり、相互に異なる処理と対応付けられている。
【００２６】
また、ＰＯＳアプリケーションは、オペレータ用表示部３０を制御するための店員用ＰＯＳアプリケーションと、カスタマ用表示部４０を制御するための顧客用ＰＯＳアプリケーションとから構成されている。
【００２７】
ここで、オペレータ用表示部３０及びカスタマ用表示部４０に表示される画面は、表示モードに応じて異なる。以下に、図１に示したＰＯＳ端末１における表示モードについて説明する。
【００２８】
図１に示したＰＯＳ端末１における表示モードには、拡張モードとクローンモードとの２種類がある。
【００２９】
拡張モードにおいてオペレータ用表示部３０には、店員用ＰＯＳアプリケーションを用いて生成され、店員が操作を行うための画面が表示される。それに対して、カスタマ用表示部４０には、顧客用ＰＯＳアプリケーションを用いて生成され、顧客が操作を行うための画面が表示される。すなわち、拡張モードにおいては、オペレータ用表示部３０に表示される画面と、カスタマ用表示部４０に表示される画面とが異なる。
【００３０】
また、拡張モードにおいては、オペレータ用表示部３０及びカスタマ用表示部４０がともにマウス入力を受け付ける。マウス入力においては、押下されたボタンが認識され、認識されたボタンを示す情報である選択画像情報が出力される。
【００３１】
一方、クローンモードにおいては、オペレータ用表示部３０とカスタマ用表示部４０とにＰＯＳアプリケーションを用いて生成された同一の画面が表示される。
【００３２】
また、クローンモードにおいては、オペレータ用表示部３０はマウス入力を受け付け、カスタマ用表示部４０はＯＣＸ（ＯＬＥ  Ｃｕｓｔｏｍ  Ｃｏｎｔｒｏｌ）入力を受け付ける。ＯＣＸ入力においては、押下されたボタンの位置が認識され、認識された位置を示す情報である選択位置情報が出力される。なお、ＯＣＸについては後述する。
【００３３】
ここで、ＯＣＸ入力を受け付ける場合には、マウス入力を受け付けることはできなくなる。これは、マウス入力では、押下されたボタンが認識されるのに対し、ＯＣＸ入力では、押下されたボタンの位置が認識されるためである。
【００３４】
従って、クローンモードにおいては、カスタマ用表示部４０において選択することができるボタンの位置と、そのボタンに対応付けられた処理とが対応付けられる。一方、カスタマ用表示部４０において選択することができるボタン以外のボタンの位置と、そのボタンに対応付けられた処理との対応付けが行われない。これにより、カスタマ用表示部４０において選択することのできるボタンを限定することができる。
【００３５】
さらに、クローンモードにおいては、カスタマ用表示部４０において選択することができるボタン上に、そのボタンと同一の形状を有する画像であるＯＣＸが貼り付けられる。つまり、ボタン上にそのボタンと同一の形状を有するＯＣＸが重ね合わせて表示される。
【００３６】
ＯＣＸとは、ＯＬＥ（Ｏｂｊｅｃｔ  Ｌｉｎｋｉｎｇ  ａｎｄ  Ｅｍｂｅｄｄｉｎｇ）を用いて作られるＷｉｎｄｏｗｓ（登録商標）用のプログラム部品のことである。ＯＣＸはユーザーが独自に作成することができる。また、ＯＬＥとは、Ｗｉｎｄｏｗｓ（登録商標）において、アプリケーション間でデータを転送したり、共有したりするための仕組みのことである。ＯＬＥを利用することにより、あるアプリケーションで作成された画像や文章の中に、別のアプリケーションで作成した情報を埋め込むことが可能となる。
【００３７】
図２は、図１に示したＰＯＳ端末１のクローンモードにおいてオペレータ用表示部３０及びカスタマ用表示部４０に表示された画面の一例を示す図であり、（ａ）はオペレータ用表示部３０に表示された画面の一例を示す図、（ｂ）はカスタマ用表示部４０に表示された画面の一例を示す図である。
【００３８】
図２において、ボタンＡ〜Ｄはカスタマ用表示部４０において選択することができるボタンである。一方、ボタンＥ，Ｆはカスタマ用表示部４０において選択することができないボタンである。
【００３９】
クローンモードにおいては図２に示すように、オペレータ用表示部３０に表示される画面と、カスタマ用表示部４０に表示される画面とが同一である。但し、図２（ｂ）の図中破線で示した部分は、ＯＣＸが貼り付けられた部分である。
【００４０】
ここで、カスタマ用表示部４０において選択することが可能なボタン上にＯＣＸを貼り付ける理由について説明する。
【００４１】
ＯＣＸを用いることにより、ＯＣＸイベントを設定することができる。ＯＣＸイベントとは、ＯＣＸが選択された際に実行される処理のことであり、例えば、ＯＣＸタッチイベントやＯＣＸリリースイベントがある。ＯＣＸタッチイベントとは、ＯＣＸが貼り付けられた部分を押下した際に実行される処理のことであり、ＯＣＸリリースイベントとは、ＯＣＸが貼り付けられた部分を押下した後、そのＯＣＸが貼り付けられた部分を解放した際に実行される処理のことである。
【００４２】
通常、ＯＣＸ入力の場合、ＯＣＸが貼り付けられた部分が選択されても、ＯＣＸの形状は変化しない。この場合、ＯＣＸを押下した人は、選択できたのかどうかが判別することができない。これを回避するために例えば、ＯＣＸが貼り付けられた部分が選択された際には、ボタンが押下された形状にそのＯＣＸの形状を変化させるＯＣＸタッチイベントを設定すればよい。また、その後、ＯＣＸが貼り付けられた部分が解放された際には、ボタンが押下されていない形状にそのＯＣＸの形状を戻すＯＣＸリリースイベントを設定すればよい。
【００４３】
再度、図１を参照すると、制御部１０は、ＰＯＳアプリケーションを用い、相互に異なる処理と対応付けられた複数のボタンを生成する。このとき、制御部１０は、表示させる画面の種類に応じ、表示モードを拡張モードにするかクローンモードにするかを判定する。そして、クローンモードとする判定がされた場合、制御部１０は、生成された複数のボタンを含む画面をオペレータ用表示部３０及びカスタマ用表示部４０に表示させる。また、クローンモードとする判定がされた場合、制御部１０は、カスタマ用表示部４０へ切替信号を出力する。カスタマ用表示部４０がこの切替信号を受け付けることにより、カスタマ用表示部４０は、ＯＣＸ入力を受け付けるようになる。また、制御部１０は、クローンモードとする判定がされた場合、生成された複数のボタンのうち、カスタマ用表示部４０において選択することができるボタンがカスタマ用表示部４０において表示される位置を示す画像位置情報と、そのボタンに対応付けられた処理とを対応付ける。なお、カスタマ用表示部４０において選択することができるボタンは、画面の種類に応じて予め決められている。また、制御部１０は、オペレータ用表示部３０から出力された選択画像情報を受け付け、受け付けた選択画像情報が示すボタンに対応付けられた処理を実行する。また、制御部１０は、カスタマ用表示部４０から出力された選択位置情報を受け付け、受け付けた選択位置情報と一致する画像位置情報に対応付けられた処理を実行する。
【００４４】
画像制御部２０は、クローンモードにおいて、制御部１０にて生成された複数のボタンのうち、カスタマ用表示部４０において選択することができるボタンと同一の形状を有し、所定のＯＣＸイベントが設定されたＯＣＸを生成する。そして、画像制御部２０は、カスタマ用表示部４０において、カスタマ用表示部４０において選択することができるボタンの上に、生成されたＯＣＸを表示させる。また、画像制御部２０は、生成されたＯＣＸと、上述した画像位置情報とを対応付ける。そして、画像制御部２０は、カスタマ用表示部４０から出力された選択位置情報を受け付け、受け付けた選択位置情報と一致する画像位置情報に対応付けられたＯＣＸに設定されたＯＣＸイベントを実行する。このＯＣＸイベントは例えば、上述したようなＯＣＸタッチイベントやＯＣＸリリースイベントである。
【００４５】
以下に、上記のように構成されたＰＯＳ端末１のクローンモードにおける動作について説明する。ここでは、顧客がカスタマ用表示部４０からパスワードを入力する場合について説明する。なお、パスワードを入力するためのパスワード入力画面は、クローンモードで表示を行うものとする。
【００４６】
図３は、図１に示したＰＯＳ端末１におけるパスワード入力画面の一例を示す図である。
【００４７】
パスワード入力画面には図３に示すように、パスワードを入力するための０〜９の数字ボタン５１、入力されたパスワードを確定するための確定ボタン５２及びパスワードの入力を中断するためのキャンセルボタン５３が配置されている。また、パスワード入力画面には図３に示すように、入力されたパスワードを「＊」で表示し、入力されたパスワードの桁数を示す入力表示ボックス５４が配置されている。なお、ここでは、数字ボタン５１及び確定ボタン５２は、カスタマ用表示部４０において選択することができるボタンである。
【００４８】
図４は、図１に示したＰＯＳ端末１のクローンモードにおける動作を説明するためのフローチャートである。
【００４９】
まず、店員は、オペレータ用表示部３０に表示されたボタンを押下することにより、パスワード入力画面の表示を選択する。
【００５０】
店員からの選択を受け付けたオペレータ用表示部３０は、パスワード入力画面の表示を指示するための信号を制御部１０へ出力する。
【００５１】
制御部１０は、オペレータ用表示部３０から出力された信号を受け付ける。ここでは、受け付けた信号が、クローンモードで表示を行うパスワード入力画面の表示を指示している。そのため、制御部１０は、切替信号をカスタマ用表示部４０へ出力する。これにより、カスタマ用表示部４０は、マウス入力を受け付けなくなり、ＯＣＸ入力を受け付けるようになる（ステップＳ１）。
【００５２】
次に、制御部１０は、図３に示したような複数のボタンをＰＯＳアプリケーションを用いて生成し、生成された複数のボタンを含むパスワード入力画面をオペレータ用表示部３０及びカスタマ用表示部４０に表示させる（ステップＳ２）。
【００５３】
そして、制御部１０は、生成された複数のボタンのうち、カスタマ用表示部４０において選択することができるボタンがカスタマ用表示部４０において表示される位置を示す画像位置情報と、そのボタンに対応付けられた処理とを対応付ける（ステップＳ３）。ここでは例えば、カスタマ用表示部４０において数字ボタン５１が表示される位置を示す画像位置情報と、入力表示ボックス５４に「＊」を表示させる処理とが対応付けられるものとする。
【００５４】
画像制御部２０は、制御部１０において生成された複数のボタンのうち、カスタマ用表示部４０において選択することができるボタンと同一の形状を有し、所定のＯＣＸイベントが設定されたＯＣＸを生成する。なお、ここでは、ＯＣＸが選択された際に、ボタンが押下された形状にそのＯＣＸの形状を変化させるＯＣＸタッチイベントが設定されるものとする。また、ＯＣＸが貼り付けられた部分が解放された際に、ボタンが押下されていない形状にそのＯＣＸの形状を戻すＯＣＸリリースイベントが設定されるものとする。
【００５５】
次に、画像制御部２０は、カスタマ用表示部４０において、カスタマ用表示部４０にて選択することができるボタンの上に、生成されたＯＣＸを表示させる（ステップＳ４）。なお、ここでは、数字ボタン５１及び確定ボタン５２の上に、生成されたＯＣＸが表示される。
【００５６】
そして、画像制御部２０は、生成されたＯＣＸと画像位置情報とを対応付ける（ステップＳ５）。
【００５７】
顧客は、カスタマ用表示部４０に表示された数字ボタン５１として表示されたＯＣＸを押下することにより、パスワードを入力する。
【００５８】
カスタマ用表示部４０は、顧客によって押下されたボタンが表示された位置を認識し（ステップＳ６）、認識された位置を示す選択位置情報を出力する。
【００５９】
カスタマ用表示部４０から出力された選択位置情報を受け付けた画像制御部２０は、受け付けた選択位置情報と一致する画像位置情報に対応付けられたＯＣＸに設定されたＯＣＸイベントを実行する（ステップＳ７）。ここでは、画像制御部２０は、ボタンが押下された形状にそのＯＣＸの形状を変化させ、その後、ボタンが押下されていない形状にそのＯＣＸの形状を戻す。
【００６０】
また、カスタマ用表示部４０から出力された選択位置情報を受け付けた制御部１０は、受け付けた選択位置情報と一致する画像位置情報に対応付けられた処理を実行する（ステップＳ８）。ここでは、制御部１０は、入力表示ボックス５４に「＊」を表示させる。
【００６１】
なお、店員がオペレータ用表示部３０に表示されたボタンを押下した場合、オペレータ用表示部３０は、押下されたボタンを示す選択画像情報を出力する。そして、オペレータ用表示部３０から出力された画像選択信号を受け付けた制御部１０は、受け付けた画像選択信号が示すボタンに対応付けられた処理を実行する。
【００６２】
この場合、例えば、店員がオペレータ用表示部３０に表示された数字ボタン５１を選択すると、制御部１０は、数字ボタン５１を示す画像選択情報を受け付けることとなる。従って、数字ボタン５１に対応付けられた処理、すなわち、入力表示ボックス５４に「*」を表示させる処理が実行されてしまう。これを回避するために、クローンモードでは、カスタマ用表示部４０において選択することができるボタンに対応付けられた処理は、制御部１０がそのボタンを示す選択画像情報を受け付けた場合でも実行されないようにしておけばよい。
【００６３】
このように本実施形態においては、相互に異なる処理と対応付けられた複数のボタンが生成され、生成された複数のボタンがオペレータ用表示部３０及びカスタマ用表示部４０に表示される。そして、生成された複数のボタンのうち、予め決められたボタンがカスタマ用表示部４０において表示される位置を示す画像位置情報と、当該予め決められたボタンに対応付けられた処理とが対応付けられる。
【００６４】
また、オペレータ用表示部３０は、表示されたボタンの選択を受け付けると、選択されたボタンを示す選択画像情報を出力し、カスタマ用表示部４０は、表示されたボタンの選択を受け付けると、選択されたボタンが表示された位置を示す選択位置情報を出力する。
【００６５】
そして、オペレータ用表示部３０から選択画像情報が出力されると、その選択画像情報が示すボタンに対応付けられた処理が実行され、カスタマ用表示部４０から選択位置情報が出力されると、その選択位置情報と一致する画像位置情報に対応付けられた処理が実行される。
【００６６】
これにより、操作性の低下を回避しつつ、オペレータ用表示部３０及びカスタマ用表示部４０の２つの表示部に同一の内容を表示させることが可能となる。
【００６７】
なお、本発明においては、入力制御装置内の処理は上述の専用のハードウェアにより実現されるもの以外に、その機能を実現するためのプログラムを入力制御装置にて読取可能な記録媒体に記録し、この記録媒体に記録されたプログラムを入力制御装置に読み込ませ、実行するものであっても良い。入力制御装置にて読取可能な記録媒体とは、フレキシブルディスク、光磁気ディスク、ＤＶＤ、ＣＤなどの移設可能な記録媒体の他、入力制御装置に内蔵されたＨＤＤなどを指す。
【符号の説明】
【００６８】
１    ＰＯＳ端末
１０    制御部
２０    画像制御部
３０    オペレータ用表示部
４０    カスタマ用表示部
５１    数字ボタン
５２    確定ボタン
５３    キャンセルボタン
５４    入力表示ボックス
【図１】
2011070371.tif 000003
【図２】
2011070371.tif 000004
【図３】
2011070371.tif 000005
【図４】
2011070371.tif 000006
【図５】
2011070371.tif 000007